【手続補正書】
【提出日】平成23年9月22日(2011.9.22)
【手続補正１】
【補正対象書類名】特許請求の範囲
【補正対象項目名】全文
【補正方法】変更
【補正の内容】
【特許請求の範囲】
【請求項１】
壁厚を有する壁を備える実質的な管状血管部を解析する方法であって、
前記血管部の少なくとも一部分の少なくとも１つの構造コンポーネントを、画像データのセットから３Ｄ再構成する工程と、
前記少なくとも１つの構造コンポーネントの四面体及び／又は六面体有限要素（ＦＥ）メッシュを生成する工程と、
前記少なくとも１つの構造コンポーネントの構造非線形ＦＥ解析を実施する工程と、
該解析から、前記管状部の前記一部分の少なくともサブ部分の幾何学的特性と内部機械的荷重に関する情報データを、前記管状部の前記解析のために提供する工程とを備え、前記四面体及び／又は六面体有限要素（ＦＥ）メッシュを生成する工程が、前記血管部の前記壁の関連管腔及び外側メッシュを用いる工程を備え、前記壁の管腔内側境界上の各節点が、前記壁の外側境界において、前記壁のボリュームメッシュ化のための複製物を有し、
前記方法はさらに、
前記メッシュの前記複製節点から、前記複製節点夫々の間の距離を前記複製節点における前記壁の厚みとして決定する工程を備え、
前記メッシュが前記ＦＥメッシュ生成のための幾何学的入力として使用されることを特徴とする方法。
【請求項２】
前記血管部の少なくとも一部分の幾何学的特性と内部機械的荷重に関する情報データを少なくとも提供する工程が、前記血管部の少なくとも一部分の幾何学的特性と内部機械的荷重に関する前記情報データを自動解析する工程を備えることを特徴とする請求項１記載の方法。
【請求項３】
患者の画像データをロード及び前処理する工程と、
画像データセットを見る工程と、
関心領域（ＲＯＩ）を定義する工程と、
再構成処理を初期化する工程と、
前記画像データセットの情報の質を手動で高める工程と、
前記画像セットの残存解剖情報から幾何学的オブジェクトの管腔をセグメント化（分離）する工程と、
前記画像データセットをセグメント化するために、２Ｄ及び３Ｄの変形可能なモデル（例えばスネーク及びバルーンモデル）を実行する工程と、
論理的に配されたポイントクラウドの表面テセレーション工程と、
２Ｄ及び３Ｄメッシュのスムージング及び最適化工程と、
ＦＥ問題を定義、最適化、及び解決する工程と、
前記画像データセットの前記残存解剖情報から幾何学的オブジェクトの外側をセグメント化（分離）する工程と、
ＦＥ解析のために、異なる血管組織の四面体及び六面体メッシュを生成する工程と、
血管部の幾何学的特性と内部機械的荷重を解析する工程と、
メッセージを促進し、ソフトウェア関連特性を変更し、コンピューター可読媒体にデータを保存する工程と、
データベースへと情報をアップロードする及びデータベースから情報をダウンロードする工程をさらに備えることを特徴とする請求項１記載の方法。
【請求項４】
患者スキャン後の全ての工程を単一システムに統合する工程と、
患者の特異的な血管病変に関する情報、即ちその幾何学的特性及び機械的荷重条件を、提供する工程とを備えることを特徴とする請求項１乃至３いずれかに記載の方法。
【請求項５】
前記システムとして、スタンドアロンシステムを使用する工程を備えることを特徴とする請求項４記載の方法。
【請求項６】
前記方法が、前記血管部の形状を再構成するための変形可能なモデルを用いる工程を備えることを特徴とする請求項１記載の方法。
【請求項７】
前記少なくともコンポーネントを再構成する工程が、手法を示す変形可能なモデルに基づく３Ｄ画像セグメンテーションを含み、
前記再構成及び離散されたコンポーネントブジェクトが、前記ＦＥ解析用の幾何学的入力として直接的に使用されることが可能であることを特徴とする請求項１記載の方法。
【請求項８】
前記方法が、前記血管部の少なくとも１つの表面の四面体メッシュ化を提供する工程を備えることを特徴とする請求項１、６、又は７記載の方法。
【請求項９】
前記方法が、前記血管部のボリュームの六面体で覆われたメッシュ化を提供する工程と、
前記ＦＥ解析のために混合有限要素を適用する工程を備えることを特徴とする請求項１、６、７、又は８記載の方法。
【請求項１０】
前記混合有限要素が、Ｑ１Ｐ０定式化を含むことを特徴とする請求項９記載の方法。
【請求項１１】
前記血管部の完全な３Ｄ構造解析を備える方法であって、
異なる種類の材料が別々に取り扱われることを特徴とする請求項１記載の方法。
【請求項１２】
異なる種類の血管組織が別々に取り扱われることを特徴とする請求項１１記載の方法。
【請求項１３】
前記方法が、血管部のプールされたデータへのアクセスを提供する工程を備えることを特徴とする請求項１記載の方法。
【請求項１４】
コンピューターデバイスによる処理用のコンピュータープログラムであって、該コンピュータープログラムは、壁厚を有する壁を備える実質的な管状血管部を解析するためのものであり、
前記血管部の少なくとも一部分の少なくとも１つの構造コンポーネントを、画像データのセットから３Ｄ再構成するための第１コードセグメントと、
前記構造コンポーネントの四面体及び／又は六面体有限要素（ＦＥ）メッシュを生成するための第２コードセグメントと、
前記少なくとも１つの構造コンポーネントの構造非線形ＦＥ解析を実施するための第３コードセグメントと、
該解析から、前記血管部の少なくとも一部分の幾何学的特性と内部機械的荷重に関する情報データを少なくとも、前記血管部の前記解析のために提供するための第４コードセグメントとを備え、前記四面体及び／又は六面体有限要素（ＦＥ）メッシュを生成する工程が、前記血管部の前記壁の関連管腔及び外側メッシュを用いる工程を備え、前記壁の管腔内側境界上の各節点が、前記壁の外側境界において、前記壁のボリュームメッシュ化のための複製物を有し、該第４コードセグメントはさらに、前記メッシュの前記複製節点から、前記複製節点夫々の間の距離を前記複製節点における前記壁の厚みとして決定するためのものであり、
前記メッシュが前記ＦＥメッシュ生成のための幾何学的入力として使用されることを特徴とするコンピューターデバイス。
【請求項１５】
画像データをロード及び前処理するためのコードセグメントと、
画像データセットを見るためのもう１つ別のコードセグメントと、
前記画像データセットの情報の質を手動で高めるためのもう１つ別のコードセグメントと、
関心領域（ＲＯＩ）を定義するためのもう１つ別のコードセグメントと、
再構成処理を初期化するためのもう１つ別のコードセグメントとをさらに備えることを特徴とする請求項１４記載のコンピュータープログラム。
【請求項１６】
前記画像データセットの残存解剖情報から幾何学的オブジェクトの管腔をセグメント化（分離）するためのもう１つ別のコードセグメントと、
前記画像データセットをセグメント化するために、２Ｄ及び３Ｄの変形可能なモデル（例えばスネーク及びバルーンモデル）を実行するためのもう１つ別のコードセグメントと、
論理的に配されたポイントクラウドの三角形及び／又は四面体表面テセレーションのためのもう１つ別のコードセグメントと、
２Ｄ及び３Ｄメッシュのスムージング及び最適化のためのもう１つ別のコードセグメントと、
ＦＥ問題を定義、最適化、及び解決するためのもう１つ別のコードセグメントと、
前記画像データセットの前記残存解剖情報から幾何学的オブジェクトの外側をセグメント化（分離）するためのもう１つ別のコードセグメントと、
ＦＥ解析のために異なる血管組織の表面メッシュを生成するためのもう１つ別のコードセグメントと、
ＦＥ解析のために異なる血管組織のボリュームメッシュを生成するためのもう１つ別のコードセグメントと、
血管部の幾何学的特性と内部機械的荷重を解析するためのもう１つ別のコードセグメントと、
メッセージを促進し、ソフトウェア関連特性を変更し、コンピューター可読媒体にデータを保存するためのもう１つ別のコードセグメントと、
データベースへと情報をアップロードする及びデータベースから情報をダウンロードするためのもう１つ別のコードセグメントを備えることを特徴とする請求項１５記載のコンピュータープログラム。
【請求項１７】
請求項１乃至１３に記載の方法を実施可能であることを特徴とする請求項１４乃至１６記載のコンピュータープログラム。
【請求項１８】
コンピューター可読媒体に保存されることを特徴とする請求項１４乃至１７記載のコンピュータープログラム。
【請求項１９】
血管部の幾何学的特性及び内部機械的荷重を視覚化するためのグラフィカル・ユーザー・インターフェースであって、これにより、図形、２Ｄ及び３Ｄ輪郭プロット、並びに３Ｄの色分けされた幾何学的オブジェクトが利用され、
前記グラフィカル・ユーザー・インターフェースが、プールされたデータからの情報に対する血管病変の幾何学的及び機械的情報の解釈を提供するように構成されることを特徴とするグラフィカル・ユーザー・インターフェース。
【請求項２０】
請求項１４乃至１８に記載のコンピュータープログラムを稼働する及び／又は請求項１９記載のグラフィカル・ユーザー・インターフェースを使用するための医療用ワークステーション。
【請求項２１】
壁厚を有する壁を備える実質的な管状血管部を解析するためのシステムであって、
前記血管部の少なくとも一部分の少なくとも１つの構造コンポーネントを、画像データのセットから３Ｄ再構成するためのユニットと、
前記構造コンポーネントの四面体及び／又は六面体有限要素（ＦＥ）メッシュを生成するためのユニットと、
前記少なくとも１つの構造コンポーネントの構造非線形ＦＥ解析を実施するためのユニットと、
該解析から、前記血管部の前記一部分の少なくともサブ部分の幾何学的特性と内部機械的荷重に関する情報データを少なくとも、前記血管部の前記解析のために提供するためのユニットとを備え、前記四面体及び／又は六面体有限要素（ＦＥ）メッシュを生成する工程が、前記血管部の前記壁の関連管腔及び外側メッシュを用いる工程を備え、前記壁の管腔内側境界上の各節点が、前記壁の外側境界において、前記壁のボリュームメッシュ化のための複製物を有し、該ユニットはさらに、前記メッシュの前記複製節点から、前記複製節点夫々の間の距離を前記複製節点における前記壁の厚みとして決定するためのものであり、
前記メッシュが前記ＦＥメッシュ生成のための幾何学的入力として使用されることを特徴とするシステム。
【請求項２２】
請求項２０に記載の医療用ワークステーションを含むことを特徴とする請求項２１記載のシステム。
【請求項２３】
前記システムが、前記血管部を、その幾何学的特性及び機械的荷重条件に関して解析するためのシステムであることを特徴とする請求項２１又は２２記載のシステム。
【請求項２４】
血管部を、それらの幾何学的特性及び機械的荷重条件に関して解析するための方法であって、
画像患者データの少なくとも１つのセットから、少なくとも１つの血管部の少なくとも１つの幾何学的及び構造的モデルを生成する工程と、
前記幾何学的及び構造的モデルにおいて、構造的に関連する種類の組織（例えば、腹部大動脈においては血管壁と管腔内血栓）間を識別する工程と、
構造非線形有限要素解析に基づき、前記血管部を構造的に調査する工程と、
前記血管壁の前記構造的モデル、インビボ境界／荷重条件、及び有限変形の構成的記述から、構造生体力学的問題を示す工程を備え、その幾何学的及び機械的データを提供することを特徴とする方法。
【請求項２５】
前記生成された幾何学的及び機械的データを視覚化する工程をさらに備えることを特徴とする請求項２６記載の方法。
【請求項２６】
前記方法を自動的に実施し、前記血管部を、臨床的に関連する時間内に解析することを特徴とする請求項２４又は２５記載の方法。
【請求項２７】
前記自動的な実施が、関心領域（ＲＯＩ）の検出に続いてなされ、
該検出が、ユーザーによる確認もしくは調整時に、手動で、又は半自動的に実施されるか、あるいは自動的に実施されることを特徴とする請求項２６記載の方法。
【請求項２８】
請求項１記載の方法を実施する工程を備えることを特徴とする請求項２４記載の方法。
【請求項２９】
請求項１乃至２４のいずれかに記載の方法の使用であって、
前記方法が、請求項２１記載のシステムにおいて、臨床人によって、技術的な専門知識なしに処理されることを特徴とする使用。